(57)【要約】【課題】注文スライサが戦略変更をリアルタイムで受け入れ得ることから取引体は市況および顧客要求に応じて注文スライサの戦略を変更し得るという技術を提供すること。【解決手段】ひとつの見地において本発明は、金融商品を取引するとの注文を受信する注文スライサを提供する。上記注文は、該注文に対して取引戦略を関係付ける。上記取引戦略は交換可能である。別の見地において、インタフェースは、金融商品を取引するとの注文の取引戦略を受け入れる。送信器は、上記取引戦略を注文スライサに対して送信する。【選択図】図１
2008523501.tif 000002
【特許請求の範囲】
【請求項１】
金融商品を取引するとの注文を受信し、且つ、該注文に対して取引戦略を関係付ける注文スライサを備え、上記取引戦略は交換可能であるシステム。
【請求項２】
前記取引戦略は前記注文スライサ内で交換される請求項１記載のシステム。
【請求項３】
前記注文スライサは取引体からの命令の受信に応じて前記取引戦略を変更する請求項１記載のシステム。
【請求項４】
前記取引体はソフトウェアから成る請求項３記載のシステム。
【請求項５】
前記取引戦略は、行為地および積極レベルの変更から成る群から選択される請求項１記載のシステム。
【請求項６】
前記注文スライサは、取引を行うとの前記注文を第１チャネルを介して受信し、且つ、前記取引戦略を第２チャネルを介して受信する請求項１記載のシステム。
【請求項７】
前記第２チャネルは論理的チャネルである請求項６記載のシステム。
【請求項８】
前記第２チャネルは物理的チャネルである請求項６記載のシステム。
【請求項９】
前記取引戦略は前記注文を取り消さずに交換される請求項１記載のシステム。
【請求項１０】
前記取引戦略は、前記注文の取り消し／交換なしで交換される請求項１記載のシステム。
【請求項１１】
前記注文スライサは、前記注文を第１発信元から受信すると共に第２発信元から命令を受信して前記取引戦略を交換する請求項１記載のシステム。
【請求項１２】
前記第１発信元は注文管理システムから成る請求項１１記載のシステム。
【請求項１３】
前記取引戦略は、所定期間の間に実行されるべき前記注文の目標量分散である請求項１記載のシステム。
【請求項１４】
前記目標量分散は、多項式関数およびフーリエ関数から成る群から選択された関数により定義される請求項１３記載のシステム。
【請求項１５】
前記取引パラメータは、開始時刻、終了時刻および指し値から成る群から選択される請求項１記載のシステム。
【請求項１６】
前記取引戦略は、時間の関数である取引積極性のレベルから成る請求項１記載のシステム。
【請求項１７】
前記取引積極性のレベルは、所定期間における前記金融商品の予測市場総出来高に対して前記注文の目標取引量を相関させる比率値を採用する請求項１６記載のシステム。
【請求項１８】
前記取引戦略は第１目標量および第２目標量から成り、上記第１および第２目標量は夫々、第１および第２の時間セグメントにおいて実行されるべきである請求項１記載のシステム。
【請求項１９】
前記第１目標量は多項式関数の結果である請求項１８記載のシステム。
【請求項２０】
前記注文スライサは、前記取引戦略の変化の関数として前記注文の小口注文を取り消す請求項１記載のシステム。
【請求項２１】
前記注文スライサは、前記取引戦略の変化の関数として前記注文の小口注文を算出する請求項１記載のシステム。
【請求項２２】
前記注文は第１注文であり且つ前記取引戦略は第１取引戦略であり、前記注文スライサは、金融商品を取引するとの第２注文を受信すると共に、該第２注文に対して第２取引戦略を関係付け、上記第１注文および上記第２注文は当該システム内に記憶され、且つ、上記第１および第２注文が当該システム内に記憶されている間に、当該システムは上記第２取引戦略の変更を受信する請求項１記載のシステム。
【請求項２３】
前記注文は、該注文の係属性および未確定注文から成る群から選択された期間の間に変更される請求項１記載のシステム。
【請求項２４】
金融商品を取引するとの注文の取引戦略を受け入れるインタフェースと、上記取引戦略を注文スライサに対して送信する送信器とを備えて成るデバイス。
【請求項２５】
前記取引戦略は交換可能である請求項２４記載のデバイス。
【請求項２６】
当該デバイスは、取引体からの命令に応じて前記注文の前記取引戦略を変更する請求項２４記載のデバイス。
【請求項２７】
当該デバイスは前記取引戦略を、（ａ）前記注文の係属性および（ｂ）上記注文が未確定である間から成る群から選択された期間の間に変更する請求項２４記載のデバイス。
【請求項２８】
前記注文は関連取引パラメータを有し、上記取引パラメータは変更可能であり、前記取引戦略は変更可能であり、且つ、当該デバイスは、上記注文の上記取引戦略の変化の関数として該注文の上記取引パラメータの変化を算出する請求項２４記載のデバイス。
【請求項２９】
前記インタフェースは、前記取引パラメータの前記変化に関連する指示を出力する請求項２８記載のデバイス。
【請求項３０】
前記取引戦略の前記変化に関連する単一指示を、前記インタフェースを介して生成する取引体を更に備えて成る請求項２８記載のデバイス。
【請求項３１】
前記単一指示は、マウスクリック、音響、キーボード入力、押ボタン入力、および、タッチスクリーン入力から成る群から選択される請求項２８記載のデバイス。
【請求項３２】
当該デバイスは、前記金融商品の取引出来高を予測する市場売買高予測器を含む市場データベースに対して連結される請求項２４記載のデバイス。
【請求項３３】
所定時的間隔に対し、実行済み小口注文の量が表す実現済み比率であって、前記金融商品に対する実行済み全体的取引量に対する実現済み比率を算出する計算器を更に備えて成る請求項２４記載のデバイス。
【請求項３４】
所定時的間隔に対し、未実行小口注文の量が表す予測比率であって、前記金融商品に対する全体的予測取引量に対する予測比率を算出する計算器を更に備えて成る請求項２４記載のデバイス。
【請求項３５】
前記予測比率は二次多項式の関数である請求項３７記載のデバイス。
【請求項３６】
前記注文の第１未実行小口注文および上記注文の第２未実行小口注文の指示を受信する受信器を更に備えて成る請求項２４記載のデバイス。
【請求項３７】
取引パラメータの関数として、前記注文の未実行小口注文が表す量に対応する予測比率であって、所定時的間隔に対する前記金融商品の全体的予測取引量と比較された予測比率を算出する計算器を更に備えて成る請求項２４記載のデバイス。
【請求項３８】
前記インタフェースは前記予測比率を表示する請求項３７記載のデバイス。
【請求項３９】
前記計算器は取引方針の関数として前記取引戦略を算出する請求項２４記載のデバイス。
【請求項４０】
金融商品を取引するとの注文を保持する第１記憶領域と、上記注文に関連する取引戦略を保持する第２記憶領域とを備え、当該注文スライサは上記取引戦略に従い上記注文を小口化し、且つ、上記取引戦略は交換可能である注文スライサ。
【請求項４１】
金融商品を取引するとの注文を受信し、且つ、上記注文に対し、取引戦略を関係付けるべく、プロセッサを制御する命令を備える記憶媒体であって、上記取引戦略は交換可能である記憶媒体。
【請求項４２】
金融商品を取引するとの注文の取引方針を受け入れ、上記取引方針から取引戦略を導出し、且つ、上記取引戦略を注文スライサに対して送信すべく、プロセッサを制御する命令を備える記憶媒体であって、上記取引戦略は交換可能である記憶媒体。
【発明の詳細な説明】
【技術分野】
【０００１】
本発明は、市場取引方法に関する。より詳細には本発明は、変化する市況、顧客要求または他の要因に応じて取引戦略を変更または交換する注文スライサの制御方法に関する。
【背景技術】
【０００２】
市場は数世紀に亙り存在し、取引体（ｔｒａｄｅｒ）が証券の如き金融商品および商品の売買を行うことを許容してきた。証券の例としては、株式、債券、先物およびオプションが挙げられる。商品の例としては、通貨、金属および穀物が挙げられる。今日における証券市場の例としては、“ニューヨーク証券取引所”（ＮＹＳＥ）、“店頭銘柄気配自動通報”（ＮＡＳＤＡＱ）システム、および、“アメリカ株式取引所”（ＡＭＥＸ）が挙げられる。これらの近代的な金融商品市場によれば、取引日毎に２０億株を超える取引が促進される。
【０００３】
専門の取引体は典型的に、異なる注文に関係付けられた異なるタイミング方針を有する。たとえば一定の注文は迅速に実行される必要があり得る、と言うのも、取引体は近い将来に価格が不都合に変化すると確信しているからである。他の注文は、可能的な最高価格を達成するために急がずに実行されるべきこともある。その例は、市場においておそらくは１００，０００ユニットの大口注文の実行を望む取引体であろう。通常、市場において斯かる大口注文が出現すると、現在における証券の市場価格は悪影響を受け得る。たとえば大口の“買い”注文が出現すると、株式、商品または通貨の如き金融商品の価格は不都合に上昇され得る。同様に、大口の“売り”注文が出現すると、金融商品の価格は不都合に低下され得る。取引体はこの影響を回避するという方針を有し得るか、または、株式を迅速に取引して価格衝撃を受け入れることが更に重要であると判断することもある。
【０００４】
故に、取引方針は概略的に、市場取引活動の目的、目標または成果として定義され得る。これらの方針は、キャピタルゲインを最大化する如き、取引体に対する注文の利益を最大化する手段として追求され得る。
【０００５】
その注文に対する取引方針が一旦決定されたなら、適切な取引戦略を選択することが可能となる。取引戦略は概略的に、取引方針を達成するための計画または基本構想として定義され得る。戦略的な取引選択肢の例は、（ａ）大口注文を更に細かい小口注文へと分けることを決心すること、（ｂ）異なる将来性による多数の可能性からひとつ以上の適切な市場実行行為地を選択すること、および、（ｃ）上記小口注文を市場に送信する最適タイミングを選択することである。
【０００６】
小口注文（ｓｕｂ−ｏｒｄｅｒ）の使用は、注文を更に細かい小口注文に分解すると共にこれらの小口注文を市場に送信するための種々のコンピュータ・アルゴリズムの発展に繋がった。斯かるアルゴリズムを実施するシステムは、“注文スライサ（ｏｒｄｅｒ  ｓｌｉｃｅｒ）”として公知である。従来の種々の注文スライサは使用に際し、小口注文を生成してそれらを市場に送信する。典型的に、取引体は自身の注文管理システムから通信回線を介して注文を注文スライサに対して送信する。上記注文スライサは上記注文を受信すると共に、（たとえば、上記注文を更に細かい小口注文に分割し、かつ、その金融商品に対する市場における全体的取引量の数％に関与することを試行するなどの）固定戦略に従い上記注文の実行を開始する。
【０００７】
従来の注文スライサを使用すると、取引体に対しては新たな一群の問題がもたらされる。特に、注文に対する取引方針が変化したとしても従来の注文スライサは、新たな単一もしくは複数の取引方針に対して適合すべく該注文スライサの戦略が変更され得る方法が限られている。たとえば取引体は、現在において小口化されつつある注文は、その日において相当な時間後に取引されれば更に望ましい価格を達成すると判断することもある。新たな方針の結果として取引体は、上記注文スライサにより採用された戦略を改変する必要がある。従来の注文スライサは単に、取引体の注文管理システムを介しての注文スライサ自体に対する相互作用を支援するだけである。注文スライサの戦略を変更するために典型的には、取引体により、注文スライサを制御するために上記注文に対して付加される新たな一群のパラメータを含む注文変更（取り消し／差替え）が行われることが必要である。
【０００８】
更に、この新たな一群のパラメータは上記取引戦略の詳細事項の内の幾つかは調節し得るが、全体的取引戦略は一定のままである。もし取引体がひとつの取引戦略を別の取引戦略に交換する（たとえば、その日の取引出来高の数％に関与するという戦略から、取引日の終了に向けて注文スライサが取引割合を増加させるという戦略へと切換える）ことを望むなら、該取引体は典型的に、自身の注文管理システムから注文を取り消すと共に、該取引体が必要であると想起する戦略に近い別の戦略を有する別の注文スライサに対して上記注文を送信する。
【０００９】
この様に、固定戦略の注文スライサのパラメータを制御すべく注文管理システム内から“取り消し／交換”を使用すること、または、異なる戦略へと切換えるために完全な取り消しを行い且つ引き続き別の宛先に対して注文を送信することは、市場取引においては幾分か混乱が生ずる面倒な事象であり得る。
【特許文献１】なし
【非特許文献１】なし
【発明の開示】
【発明が解決しようとする課題】
【００１０】
故に、当該注文スライサが戦略変更をリアルタイムで受け入れ得ることから取引体は市況および顧客要求に応じて注文スライサの戦略を変更し得るという、注文スライサを制御する技術に対する要望が在る。
【課題を解決するための手段】
【００１１】
ひとつの見地において本発明は、注文を受信する注文スライサを提供する。上記注文は、金融商品を取引するものである。上記注文スライサは上記注文に対して取引戦略を組み合わせると共に、該取引戦略は交換可能である。別の見地において、インタフェースは、金融商品を取引するという注文の取引戦略を受け入れる。送信器は、上記取引戦略を注文スライサに対して送信する。別の見地において、上記注文を生成する上で上記インタフェースは使用されない。
【発明の効果】
【００１２】
本発明に依れば、注文スライサが戦略変更をリアルタイムで受け入れ得ることから取引体は市況および顧客要求に応じて注文スライサの戦略を変更し得るという技術が提供され得る。
【発明を実施するための最良の形態】
【００１３】
本発明の説明に進む前に、本明細書中で用いられる幾つかの語句を定義することは有用である。
【００１４】
“モジュール”という語句は本明細書においては、スタンドアロン構成要素として、または、一体化アセンブリにおける複数の構成要素の内のひとつの構成要素として具現され得る機能的作用を定めるべく用いられる。
【００１５】
“注文スライサ”という語句は本明細書においては、金融商品に対する注文を更に細かい個別的で離散的な小口注文に分解し得るデバイスまたはシステムを指すべく用いられる。注文スライサは、ハードウェア、ソフトウェア、ファームウェア、又は、それらの組み合わせにより具現され得る。
【００１６】
“注文管理システム（ＯＭＳ）”という語句は本明細書においては、金融商品に対する“買い”または“売り”命令を発行し得るモジュールを指すべく用いられる。ＯＭＳはまた、金融商品の名称および量の如き他の関連情報も発行し得る。ＯＭＳは、ハードウェア、ソフトウェア、ファームウェア、または、それらの組み合わせにより具現され得る。
【００１７】
“リアルタイム”という語句は本明細書においては、事象が生じたときにそれらに応答することを指すべく用いられる。
【００１８】
“変更可能”とは概略的に、当該第１関数におけるパラメータを変更することにより第１関数の挙動を変化させることと定義され得る。
【００１９】
“交換可能”とは概略的に、第２関数により完全に交換または置き換えられ得る第１関数として定義され得る。上記第２関数は必ずしも、上記第１関数と同一のアルゴリズムを採用しない。更に上記第２関数は必ずしも、上記第１関数と同一のパラメータまたは定数により制御はされない。
【００２０】
“量”とは概略的に、与えられた注文に対する金融商品の販売の単位に関している。
【００２１】
“出来高”とは概略的に、所定期間に対する市場における金融商品の総販売量を指している。
【００２２】
図１を参照すると、金融商品の買い注文または売り注文を発行すると共に参照番号１００により概略的に表されるシステムが図示される。システム１００は、ＯＭＳ１１０、注文スライサ１２０、注文スライサ制御器１３０、注文スライサ制御器用インタフェース１３５および市場データベース１７０を含む。注文スライサ制御器１３０およびＯＭＳ１１０はひとつのモジュールへと一体化され得るか、または、注文スライサ制御器１３０およびＯＭＳ１１０は複数のモジュールにおいて物理的に分離または分散され得る。代替的に、注文スライサ１２０および注文スライサ制御器１３０は単一モジュール内へと一体化され得る。
【００２３】
取引体１４０は、金融商品の買い又は売り注文に関する初期取引パラメータ１４５を提供する。取引体１４０は、人間、ソフトウェアを含む処理モジュール、または、法人の如き、意思決定を行う独立体とされ得る。取引体１４０はまた、取引方針１８５と、取引戦略１８４と、取引パラメータ１４１とを含む市場指示１０２を、注文スライサ制御器用インタフェース１３５および市場データベース１７０に対して提供する。
【００２４】
取引方針１８５は、市場取引活動の目的、目標または所望の最終成果である。取引体１４０により決定もしくは課された取引方針１８５の幾つかの例は、（ａ）市場に対する注文の影響を最小限とすること、（ｂ）可能的な最高価格の獲得を試行すること、および、（ｃ）他の検討事項に関わらずに可及的に迅速に注文の実行を試行することである。これらの取引方針は、取引体１４０に対する注文の利益を最大化し、または、税制上の一定の優遇措置の獲得を試行する技術として実施され得る。換言すると、市場の動力学が与えられたなら、以下の取引方針（ａ）、（ｂ）または（ｃ）のいずれかは取引体１４０に対して最も好都合な結果を有し得る。
【００２５】
たとえば取引体１４０が、利益取引を最大化する最適手法は“（ａ）”市場に対する注文の影響を最小限とすることであると仮定する。これは、取引体１４０が、該取引体１４０自身が関与している行為を他の買い手または売り手に対して示さないことが最適であろうと確信しているからであり得る。但し、もし取引体１４０が、利益取引を最大化する最適手法は“（ｂ）”可能的な最高価格の獲得を試行することであると確信するなら、取引体１４０は、所定の金融商品に関する各取引体の意図を認識する他の買い手または売り手に関して顧慮しないこともあり得る。但し、もし取引体１４０が、利益取引を最大化する最適手法は“（ｃ）”他の検討事項に関わらずに可及的に迅速に注文の実行を試行することであると確信するなら、取引体１４０は、金融商品に対する市場は迅速に下落（または上昇）すると共に取引体１４０自身に対する最も好適な状態は売り（または買い）を試行することであって該取引体自身を認識する他の取引体を顧慮しないこともある。
【００２６】
取引方針１８５の例として種類“（ｃ）”は、取引方針１８５が、注文は該注文に対して割当てられた時間の間に完了する（“有効時間”）、または、市況に関わらずに有効時間の間に注文の少なくとも所定量が完了するという要件である。
【００２７】
取引方針１８５は交換可能である。換言すると、上記の選択肢“（ｃ）”は選択肢“（ａ）”と交換され得る。
【００２８】
取引戦略は概略的に、取引方針１８５を達成するための計画または基本構想として定義され得る。戦略的な取引選択肢の例は、“（ａ）”大口注文を更に細かい小口注文に分けること、“（ｂ）”異なる将来性による多数の可能性からひとつ以上の適切な市場実行行為地を選択すること、および、“（ｃ）”上記小口注文を市場に送信する最適タイミングを選択することである。
【００２９】
種類“（ｃ）”の取引戦略１８４の例として、取引戦略１８４は、所定期間の間に実行されるべき注文の目標量分散である。目標量とは概略的に、取引体が所定期間内に取引を望む金融商品の量として定義され得る。目標量分散とは概略的に、２つ以上の時間セグメントに対する目標量として定義され得る。目標量分散は、注文スライサ１２０に対して送信される。たとえば目標量分散は、１２：００ｐ．ｍ．から１：００ｐ．ｍ．に対しては１０００株、および、１：００ｐ．ｍ．から２：００ｐ．ｍ．に対しては３０００株が設定され得る。
【００３０】
取引戦略１８４は、多項式の如き式により表され得る。たとえばもし取引戦略１８４が、“ａ”小口注文を市場に送信する最適タイミングを選択することであれば、該式は以下の如く表された所望の小口注文量および所定の小口注文を売る時間を含み得る：
Ａｔ２＋Ｂｔ＋Ｃ＝時間“ｔ”に対する小口注文の出来高（式１）
式中、変数Ａ、ＢおよびＣは、市場データの統計分析により導出されるか又は初期取引パラメータ１４５として入力され、且つ、“ｔ”は取引されるべき所定の小口注文に対する段増的時間を表す。
【００３１】
取引戦略１８４は、変更され得る。たとえば新たな統計的データは、Ａの値が変更されるべきことを表し得る。たとえば、それは“５”の値だけ増加されねばならない。故に、取引戦略１８４に対して変更された多項式は以下の如くである：
（Ａ＋５）ｔ２＋Ｂｔ＋Ｃ＝時間“ｔ”に対する小口注文の出来高（式２）
【００３２】
取引戦略１８４は交換可能である。換言すると、取引戦略１８４に対するひとつの式は、完全に異なる式により交換され得る。たとえば式１は、（たとえば）次式により交換され得る：
Ａｓｉｎ２ｔ＋（Ｂ−１）２ｃｏｓ３２ｔ＋Ｄ＝時間“ｔ”に対する小口注文の出来高（式３）
【００３３】
取引戦略１８４は、多項式またはフーリエ級数もしくは数列の如き単一もしくは複数の関数であり得る。取引戦略１８４は、注文が係属する間、すなわち最初の小口注文が実行される前または代替的に注文１５９が未確定であるときに、変更もしくは交換可能である。
【００３４】
取引戦略１８４は、プログラミング言語によるスクリプトの如き一連のプログラム段階により表され得る。たとえば取引戦略１８４が“（ａ）”小口注文を市場に送信する最適タイミングを選択することならば、スクリプトは所望の小口注文量と、所定の小口注文を売る時間とを以下の如く記述し得る：１：３：０５ｐ．ｍ．まで待つ；２：小口注文量Ａを送信する；３：３：１５ｐ．ｍ．まで待つ；４：小口注文量Ｂを送信する；５：３：３０ｐ．ｍ．まで待つ；６：もし価格＞＄３５：００ならば小口注文量Ｃを送信する。プログラム段階１〜６を実施する時刻および量Ａ〜Ｃは、市場データの統計的分析により導出され得ると共に、取引戦略１８４に対応する式もしくはスクリプトとして、または、初期取引パラメータ１４５として入力され得る。
【００３５】
取引体１４０が取引戦略１８４を生成することを望む場合、たとえば選択肢“ｃ”などの、実施すべきひとつの種類の取引戦略１８４は“積極レベル”と称される。金融商品を取引する積極レベルとは概略的に、単一もしくは複数の小口注文が表す取引量の割合であって、与えられた期間の間において金融商品に対する市場の全体的取引出来高と比較された場合の割合として定義され得る。もし取引体１４０が積極レベルの入力、変更または交換を望むなら、例は以下に与えられる。
【００３６】
たとえば選択肢“ｃ”において取引戦略１８４は、小口注文に関係付けられた実際の取引量が積極レベルからどの程度まで変化し得るかの限界を設定し得る。たとえば、２０％の積極レベルから±５％の最大変化が取引戦略１８４の一部として実施され得る。別の代替例において取引戦略１８４は、注文の全てを売るとの命令にて設定され得る。
【００３７】
たとえば取引体１４０は、積極レベルはその日の開始および終了時に更に積極的であるが中間にては積極性が少ないことを決定し得る。故に各小口注文は、その日の中間に向けて取引される株の全体的出来高は割合が少なく、その日の開始および終了時に向けては割合が多くなることを表す。取引体１４０は、取引パラメータ１４１として開始時刻パラメータまたは終了時刻パラメータを変更し得る。
【００３８】
初期取引パラメータ１４５は、注文番号パラメータ、注文規模パラメータ、買いもしくは売りパラメータ、金融商品名パラメータ、開始時刻パラメータ、終了時刻パラメータ、および、指し値パラメータを含む。上記注文番号パラメータは注文をインデックス付けし、注文規模パラメータは注文の規模を表し、開始時刻および終了時刻は注文が売られるべき時的間隔を表し、且つ、指し値は注文に対する取引が停止される価格である。
【００３９】
ＯＭＳ１１０は、初期取引パラメータ１４５を受信し、それをＯＭＳメモリ１１２に記憶する。ＯＭＳメモリ１１２は、注文番号フィールド１５１、注文規模フィールド１５２、買い／売りフィールド１５３、金融商品名フィールド１５４、開始時刻フィールド１５５、終了時刻フィールド１５６、および、指し値１５７を有する。フィールド１５１〜１５７に記憶された初期取引パラメータ１４５に基づき、ＯＭＳ１１０は注文１５９を調製する。
【００４０】
注文スライサ１２０は好適には、注文スライサ計算器１２４、メモリ１２６および取引戦略１６３を有する。注文スライサ１２０は、ＯＭＳ１１０すなわち第１発信元からチャネル１１１を介して注文１５９を受信する。注文スライサ１２０すなわち第２発信元は、第２発信元すなわち注文スライサ制御器１３０からチャネル１１３を介して取引戦略１３１を受信する。取引戦略１３１は取引戦略１６３になる。代替的に注文スライサ１２０は、第２発信元および第３発信元からの出力の組み合わせを含む取引戦略１３１を受信し得る。
【００４１】
チャネル１１１およびチャネル１１３の各々は、論理的チャネルまたは物理的チャネルのいずれかとされ得る。物理的チャネルの例は、電気ワイヤ、光ファイバケーブル、または、無線電波である。論理的チャネルの例は、定義されたソフトウェア・ポートを通して行われる通信である。
【００４２】
注文スライサ１２０は、小口注文を生成してそれらをメモリ１２６内に記憶し、且つ、これらの小口注文を市場１１９に対して発行する。たとえば図１は、市場１１９に対して発行されつつある小口注文１７５を示している。小口注文１７５は、金融商品の元の注文１５９の量よりも少なくされ得る該金融商品の量を買う又は売るとの個別注文である。
【００４３】
概略的に注文スライサ１２０は市場データベース１７０にアクセスし、以下において相当に詳細に記述される如く、所定金融商品に対する予測売買高を決定する。上記の予測売買高は、以前における既知の期間における上記金融商品の売買高の平均、または、他のアルゴリズムに基づき得る。たとえば取引戦略１６３に基づいて注文スライサ１２０は、所定の時点において売られるべき株の量の第１見積り値を算出する。次に、注文スライサ１２０が小口注文１７５を取引するにつれ、該注文スライサ１２０はメモリ１２６内の小口注文を調節し、記録された市場売買高の選択割合を追尾する。但しメモリ１２６内の小口注文は、取引戦略１６３が交換または変更されたときには注文スライサ１２０により再計算され得る。注文スライサ１２０は、時間に基づいて個々の小口注文に対する買いまたは売り注文に対する実行カウントダウンを開始し得る。
【００４４】
取引戦略１６３は、取引戦略１８４のコピーであり得る。斯かる取引戦略１６３の一例は、該取引戦略が積極レベルの場合である。たとえば取引戦略１６３は、１０％の積極レベルから４０％の値へと変更される積極レベルに関連する。但し、注文の全体的出来高に関連するパラメータは、一定であると定義される。故に、これを補償するために、開始時刻パラメータまたは終了時刻パラメータは注文スライサ計算器１２４により改変される。故に、積極レベルが変更され且つ市場の予測挙動が同一のままであるとすると、有効時間（注文を売るための開始時刻と終了時刻との間の時間長）は変化する。
【００４５】
取引戦略１６３は、取引戦略１８４の式またはパラメータの内のいずれをも採用し得る。注文スライサ計算器１２４は、取引戦略１６３の関数として、注文１５９の第１未実行小口注文を算出する。但し、取引戦略１３１の受信時に注文スライサ計算器１２４は、上記注文の第２未実行小口注文を算出する。たとえば第１小口注文が１００の取引処理量を有すると共に積極レベルが１０％から２０％へと上昇されるなら、２００の取引処理量を有する第２小口注文が算出され得る。
【００４６】
第１および第２の注文１５９は注文スライサ１２０により受信される。注文スライサ１２０は、第１の取引戦略１６３を第１の注文１５９に関係付け、且つ、第２の取引戦略１６３を第２の注文１５９に関係付ける。第１および第２の注文１５９は両方とも、注文スライサ１２０内に記憶される。第１および第２注文の両方が注文スライサ１２０内に記憶されている間、注文スライサ制御器１２０は第２注文１５９の第２取引戦略１６３を変更または交換し得る。
【００４７】
市場データベース１７０は、市場取引高記録器１７２および市場予測器１７４を有する。市場取引高記録器１７２は市場記録１７５を生成し、且つ、市場予測器１７４は市場予測１７７を生成する。
【００４８】
市場取引高記録器１７２は、上記金融商品に対する過去および現在の市場総売買高に関するデータを含む。市場取引高記録器１７２はまた、取引方針１８５、取引戦略１８４および取引パラメータ１４１も記録する。
【００４９】
市場予測器１７４は市場記録１７５に基づき、所定期間に亙る上記金融商品に対する将来的な見積もり総売買高を算出する。たとえば市場記録１７５がＸＹＺ社の過去および現在の市場総売買高に関するデータを含むなら、市場予測器１７４は、たとえば最近の１０日間におけるデータを用い、将来的期間に亙り売られるＸＹＺ社の株の出来高の見積もりを算出かつ平均する。市場予測器１７４は、Ａ、ＢおよびＣが統計的分析から導出されるものとしてＡｘ２＋Ｂｘ＋Ｃ＝将来的期間に亙り“売られる株の出来高”などの、二次多項式を使用し得る。故に、統計的平均に基づく将来的市場売買高の予測のグラフは双曲線の形態を取り得る。
【００５０】
市場データ１７３は、市場記録１７５および市場予測１７７を含む。市場データ１７３は、注文スライサ１２０、注文スライサ制御器１３０および取引体１４０に対して提供される。市場データ１７３は取引体１４０により、注文スライサ制御器用インタフェース１３５にアクセスすることで視認され得る。
【００５１】
注文スライサ制御器１３０は、注文スライサ制御器（ＯＳＣ）計算器１８９、ＯＳＣ受信器１８１、および、ＯＳＣ送信器１８３、および、取引パラメータ１３６を有する。注文スライサ制御器１３０は、変更可能な取引パラメータ１８８と、取引戦略１３１とを生成する。取引戦略１３１は、取引戦略１８５のコピーとされ得ると共に、注文スライサ１２０に対して送信される。同様に取引パラメータ１４１は、取引パラメータ１３６に対してコピーされ、其処から、変更可能な取引パラメータ１８８として注文スライサ１２０へとコピーされ得る。
【００５２】
注文スライサ制御器１３０は、リアルタイム取引パラメータ１８７も受信する。リアルタイム取引パラメータ１８７パラメータは、取引戦略１６３、または、メモリ１２６内の下位ロット（ｓｕｂ−ｌｏｔ）に関する情報に関連する。この情報はバス１３７を介し、注文スライサ制御器用インタフェース１３５に対して送信される。
【００５３】
取引戦略１６３内においては、大口の取引規模を無視するための取引量スレッショルド値を設定できる。換言すると、小口注文を算出するとき、一定の量を超える取引は考慮されない。この超過量を注文スライサ１２０の計算から除外することにより、注文スライサ１２０が市場に与える影響は少ない。たとえば、非常に大口の取引（たとえば、所定の期間に亙り所定金融商品に対して典型的に行われる取引の全体的出来高に略々等しいという大規模の取引）が行われるべきであり、且つ、取引戦略１６３が積極レベルを以てプログラムされるなら、大規模取引によれば注文スライサ１２０は、同様に大量の小口注文であるとという小口注文の売りを試行することになる。これは、市場に悪影響を与え得る。上記取引量スレッショルド値を使用すると、この問題が緩和される。
【００５４】
ＯＳＣ計算器１８９は、取引方針１８５の変更または交換の関数として、取引戦略１３１を変更または交換する。注文スライサ制御器１３０はまた、変更可能な取引パラメータ１３６を変更することで、取引方針１８５または取引戦略１８４の変更または交換を補償する。取引パラメータ１３６は、変更可能な取引パラメータ１８８として出力される。代替的に、注文スライサ制御器１３０は注文スライサ１２０に対する提出のために取引戦略１３１を変更または交換する。取引パラメータ１３３、および、算出された取引戦略は次に、バス１３７を介して注文スライサ制御器用インタフェース１３５へと送信される。
【００５５】
ＯＳＣ計算器１８９は所定の時的間隔に対し、未実行小口注文が表す取引量の予測比率であって、当該金融商品に対する全体的予測取引量に対する予測比率を算出する。たとえば所定時的間隔に対し、未実行小口注文の取引が２００株の予測取引量を有すると共に、同一の時的間隔の間に当該金融商品が１０００株だけ売られると予測されるなら、その金融商品に関し、未実行下位ロットに対する取引量の予測比率は全体的取引出来高の２０％である。次に、取引パラメータ１３３および算出された取引戦略はバス１３７を介して注文スライサ制御器用インタフェース１３５へと送信される。
【００５６】
ＯＳＣ計算器１８９は所定時的間隔に対し、実行済み小口注文が表す取引量の百分率の如き実現済み比率であって、上記金融商品に対する実行済み全体的取引量に対する実現済み比率を算出する。たとえば、所定時的間隔に対して小口注文が１００株の取引量を有すると共に該時的間隔の間において金融商品が１０００株だけ売られたなら、上記下位ロットに対する取引量の実現済み比率は１０％である。
【００５７】
ＯＳＣ計算器１８９は、リアルタイム取引パラメータ１８７の関数として、上記第２未実行小口注文が表す取引量の予測比率であって、上記時的間隔に亙る上記金融商品に対する出来高の全体的予測量に対する予測比率を算出する。
【００５８】
ＯＳＣ計算器１８９内において取引戦略１３１は、取引方針１８５から導出され得る。たとえば、もし取引方針１８５が“（ａ）”市場１１９に対する注文の影響を最小限とすることであるなら、取引戦略１３１は、“（ａ）”注文を更に量の少ない小口注文に分割し、連続的な小口注文取引間の時的間隔を最小限とすることとされ得る。但し、もし取引方針１８５が“（ｂ）”即金に関して最も好都合な結果の獲得を試行することであるなら、取引戦略１３１は、注文に対する行為地の変更を含み得る。
【００５９】
ＯＳＣ計算器１８９は、市場データに基づいて予想割合曲線を生成する。予想割合曲線とは、同様の期間に亙り同一もしくは同様の株式に対する従前の取引出来高に概略的に基づく数学的表現であって、特定の金融商品に対する取引の予想割合であるという数学的表現である。一実施例において予想割合曲線３１０に対する予想割合計算は、前日の取引出来高に基づくと共に、二次多項式近似を用いる。二次多項式の如き多項式を用いるひとつの理由は、これは放物線を生成すると共に、金融商品に対する売買の出来高は所定の日に亙り放物線的になり易いことが概略的に見出されているからである。故に前日の取引量は、この放物線を用いて円滑化される。予想割合曲線３１０は、市場データ１７３により更新および改変され得る。但し、放物線以外の他の予測的近似が使用され得ると共に、平均を行うべき他の期間も使用され得る。
【００６０】
ＯＳＣ計算器１８９は、所定の期間に対する注文１５９を果たすために注文スライサ１２０により達成されるべき平均的目標取引割合を算出する。注文スライサ１２０は次に、小口注文１７５の量をこの割合に対応させようとする。目標取引割合は、受信した変更可能な取引戦略１８４に依存して、双曲線などとされ得る。
【００６１】
取引出来高と、実行済み小口注文の量との間の関係が、目標取引曲線に追随しなかったということはあり得る。換言すると、市場１１９は予測された様には挙動しなかった。故に、注文１５９の小口化は、取引戦略１６３により設定された積極性の設定レベルにては完了されなかった。その場合にＯＳＣ計算器１８９はそれ自体、実際の市場取引処理に対処すべく取引戦略１６３を変更する。代替的に取引戦略１６３は、市場の動きに関わらずに固定レベルの取引積極性とされることで、上記注文が早期に完了され又は全く完了されないことが許容され得る。
【００６２】
注文スライサ制御器用インタフェースは、異なる取引方針１８５、取引戦略１８４または取引パラメータ１４１から選択を行う種々の技術を有する。これらの技術としては、以下で更に詳細に記述される様にプルダウン・メニューまたはキー・パッド要素が挙げられる。
【００６３】
注文スライサ制御器用インタフェース１３５は、上記第１未実行小口注文および第２未実行小口注文に関係付けられた予測取引量比率を表示する。換言するとこれは、未実行小口注文の量が表す百分率であって、所定金融商品に対する予測出来高に対する百分率である。
【００６４】
注文スライサ制御器用インタフェース１３５はバス１３７を介して注文スライサ制御器１３０から、注文スライサ１２０により処理されつつある各注文に対する残存小口注文に関連する他の特性に関する入力を受信する。この情報は、リアルタイム取引パラメータ１８７として表現され得る。この情報は、与えられた注文に対する将来的な小口注文売買高の各々の規模および種類、注文１５９に対する有効時間などを含み得ると共に、該情報は次に注文スライサ制御器用インタフェース１３５上に表示される。
【００６５】
注文スライサ制御器用インタフェース１３５は、キーボードまたは音声認識サブシステムの如き入力デバイスを含む。注文スライサ制御器用インタフェース１３５は、ディスプレイまたはプリンタの如き出力デバイスも含む。マウス、トラックボールまたはジョイスティックの如きカーソル制御器によればユーザは、ディスプレイ上のカーソルを操作して、付加的情報および命令選択を注文スライサ制御器用インタフェース１３５に対して通信し得る。
【００６６】
取引体１４０は、取引方針１８５または取引戦略１８４を生成、交換または変更するとの単一指示を、注文スライサ制御器用インタフェース１３５を介して提供し得る。この単一指示は例えば、マウスクリック、音響、キーボード入力、押ボタン入力、および、タッチスクリーン入力とされ得る。取引体１４０が、取引方針１８５または取引戦略１８４を生成するというこの単一指示を提供する場合、取引体１４０の時間は相当に節約され得る。取引体１４０はまた、最小限の入力を以て取引パラメータ１４１も入力し得る。
【００６７】
システム１００のひとつの利点は、ＯＭＳ１１０により、注文１５９の一切の未実行部分を取り消さず且つ新たな注文１５９を発行せずに、買い／売り注文が注文スライサ１２０において更新され得るということである。すなわち、典型的には時間およびリソースを集約するプロセスである“取り消し”注文または“取り消し／交換”注文を発行する必要はない。
【００６８】
図２を参照すると、注文スライサ制御器用インタフェース１３５のインタフェース２００の一実施例が示される。インタフェース２００は、有効注文画面２１０、平均日計出来高（ＡＤＶ）ウィンドウ２２０、実行割合（実行ウィンドウ）２３０および強制制御ボタン２９９を含む。
【００６９】
有効注文画面２１０は、注文１５９ならびに他の注文１５９に関する情報を列挙する。有効注文画面２１０内には、注文１５９が“買い”であるか“売り”であるかに関するひとつの情報も出力される。有効注文画面２１０は、各注文１５９に対して取引されるべき株数を示す。最後に有効注文画面２１０は、各注文１５９に対する金融商品の名称を示す。
【００７０】
図２は、特定の金融商品取引処理に対するインタフェース２００、すなわち、有効注文画面２１０の陰影領域により示された如く取引体１４０により選択された注文１５９のインスタンスを示し、且つ、この注文に関する更なる情報は平均日計出来高（ＡＤＶ）ウィンドウ２２０および実行割合ウィンドウ２３０内に表示される。
【００７１】
ＡＤＶウィンドウ２２０は、所定時的間隔に亙る特定の金融商品に対し、実行済みまたは未実行の小口注文取引処理が表す売買高の百分率であって、所定期間に対して計画されたまたは実際の金融商品取引処理の全てと比較された場合の百分率が如何ほどであるかに関する計算の結果を表示する。
【００７２】
実行割合ウィンドウ２３０は好適には、摺動バー２３２を有する。摺動バー２３２は取引体１４０により、取引戦略１８４を選択および／または変更すべく設定される。実行割合ウィンドウ２３０内の上記スライダは、取引体１４０により変更されて更に高くまたは更に低くされ得る。これが行われるならば、いずれもが取引パラメータ１４１に対応する開始時刻パラメータおよび終了時刻パラメータの少なくとも一方、または、図示例では取引戦略１８４に対応する積極レベルが変化し得る。取引体１４０は、実行割合ウィンドウ２３０の使用により積極レベルを固定すると共に、初期取引パラメータ１４５の終了時刻パラメータを変更する。取引体１４０は、実行割合ウィンドウ２３０内の摺動バー２３２を設定または移動することで取引戦略１８４を設定または変更する。
【００７３】
代替的に注文スライサ１２０は強制制御ボタン２９９の採用により注文を受けることで、実行された市場出来高が如何なる結果となるかに関わらずにＴＩＦの間に金融商品の所定取引処理が完了されることを確実とし得る。強制制御ボタン２９９は、種類“ｃ”の取引方針１８５の一例である。
【００７４】
図３を参照すると、注文スライサ制御器用インタフェース１３５上で採用可能な視覚的インタフェース３００の一実施例が示される。視覚的インタフェース３００は、価格表示３０２および出来高表示３０４を有する。価格表示３０２は、その日の種々の時刻における所定金融商品に対する価格を示している。出来高表示３０４は概略的に、取引日の間における予測および実際の１分当たりの取引出来高の如き、金融商品に対する取引の割合に関する種々の情報を示している。
【００７５】
予想割合曲線３１０は、所定期間に亙り所定金融商品に対して予想される取引割合の近似値を表す。予想割合曲線３１０は、非線形関数として示される。
【００７６】
（不図示の）従来の取引出来高グラフは、取引全体の出来高および頻度を表すが、経時的な取引の出来高は表さない。取引出来高グラフ３２０は習用の取引出来高グラフを採用してそれを“毎分取引量”レベル上に一体化するが、当業者であれば、他の期間も採用可能であることを理解し得よう。取引出来高グラフ３２０は移動時間枠に亙り積分をすることから、取引体１４０は更に容易に市場成果を理解する。この点から、取引体１４０が積極レベルを決定してから設定することは更に容易である。所定の取引日において、取引が実際に行われるにつれ、所定金融商品に対する取引の出来高は取引出来高グラフ３２０内に示される。図３の図示例において取引の出来高は株単位であるが、取引出来高グラフ３２０は他の取引測定値に対して設定され得る。
【００７７】
視覚的インタフェース３００は、実行済み小口注文売買高３６５も示す。これは、過去における所定時点から現在までに注文スライサ１２０により実行された小口注文が表す取引量を表す。図示された如く、取引出来高グラフ３２０と実行済み小口注文売買高３６５との間には一定の関係が在る。概略的に、実行済み小口注文売買高３６５は取引出来高グラフ３２０の百分率として図示されるべきである。目標取引曲線３６０も示される。
【００７８】
図３において目標取引曲線３６０は、予想割合曲線３１０の固定百分率として示される。上記に説明された如く、これは取引戦略１６３の結果として算出された目標量である。但し、目標取引曲線３６０はそれ自体が予想割合曲線３１０の非線形関数であり得る。
【００７９】
視覚的インタフェース３００は、タイミング・バー３２５も含む。タイミング・バー３２５の左縁部３３０は、注文スライサ１２０に対してＯＭＳ１１０から金融商品注文が入力された時刻を表し得る。代替的に左縁部３３０は、特定金融商品に対するグラフ情報の開始部を表し得る。
【００８０】
タイミング・バー３２５は自身内に、有効時間（ＴＩＦ）バー３３５も有している。ＴＩＦバー３３５の左側部３４０は、注文が有効になることから個々の小口注文が注文スライサ１２０により売られる時刻を設定する。ＴＩＦバー３３５の右側部３５０は、その注文の完了が企図された時刻を表す。取引体１４０は、左側部３４０および右側部３５０の手動調節を行うことで、注文スライサ１２０により使用される開始時刻パラメータおよび終了時刻パラメータを夫々変更し得る。
【００８１】
実行割合ウィンドウ２３０およびＴＩＦバー３３５は、同一情報の幾つかを表示し、いずれかにおいて変更を設定すると他方の変化として現れる。たとえば、実行割合ウィンドウ２３０内に表現された実行割合を変更すると、ＴＩＦバー３３５の左側部３４０および右側部３５０はその変更を補償すべく変化し得る。これは何故かと言えば、スライダ２３２を変化させることで積極レベルが変更され且つ注文１５９の全体量は同一のままなので、注文１５９に対する取引を実行する時間が少なくなるからである。
【００８２】
実行割合ウィンドウ２３０における実行割合の変更によれば、目標取引曲線３６０は変更される。実行割合の変更により積極レベルはその様に変更されることから、目標百分率取引曲線３６０も変更される。
【００８３】
ＴＩＦバー３３５内に表現されたパラメータが変更されると、注文１５９に対する実行割合ウィンドウ２３０内の視認可能表示内容が変更される。これが何故かと言えば、注文１５９の量は同一のままであるがＴＩＦが変化したからである。故に、ウィンドウ２３０の実行割合は補償を行うために変化する。実行割合ウィンドウ２３０の実行割合が変更されるにつれて平均日計出来高２２０（または他の時間平均）は増大を示し始める、と言うのも、取引出来高グラフ３２０は目標百分率取引曲線３６０の更に高いもしくは低い百分率を目標として変化するからである。
【００８４】
図４を参照すると、注文スライサ制御器用インタフェース１３５において生成され得る視覚的インディケータ４００が示される。棒グラフまたは他の視覚的インディケータともされ得る視覚的インディケータ４００は、所定金融商品に対して取引体１４０の注文もしくは小口注文が任意の所定期間に亙り、売買の総出来高に対して行う実際の取引量の百分率が如何ほどであるかの実際割合を示す。取引体１４０は視覚的インディケータ４００を監視することで、小口注文１７５が表す売買高の実際百分率が容認可能な百分率を追尾することを確実とし得る。
【００８５】
たとえば、所定時刻における金融商品の総販売量の２５％を表す注文１５９の小口注文１７５の売買高は容認可能であり得るが、所定の金融商品に対して総販売量の５０％を表す小口注文１７５はそうでないこともある。視覚的インディケータ４００は取引体１４０に対し、該取引体１４０が取引方針１８５、取引パラメータ１４１または取引戦略１８４を再設定する上で助けとなるフォーマットで情報を与える。
【００８６】
図５は、システム１００と共に使用される方法５００を示している。ステップ５１０において、市場記録１７５は取引体１４０に対して送信される。該方法は次に、ステップ５２０に進む。
【００８７】
ステップ５２０においては、選択された金融商品に対する市場予測１７７が市場予測器１７４において算出される。上記方法は次に、ステップ５３０に進む。
【００８８】
ステップ５３０にては、選択された金融商品に対する価格が価格表示３０２として表示される。図示を容易とするために単一ステップとして示されるが、ステップ５３０は取引日が進展するにつれて反復され得る。上記方法は次に、ステップ５４０に進む。
【００８９】
ステップ５４０においては、予想割合曲線３１０が生成される。この予測は、所定金融商品の売買活動の予測挙動をモデル化する双曲線または他の高次関数により実施され得る。上記方法は次に、ステップ５５０に進む。
【００９０】
ステップ５５０においては、注文の種類（すなわち“買いまたは売り”注文）、株式の識別子、株式の量などがＯＭＳ１１０に入力される。
【００９１】
ステップ５６０において、取引体１４０は最初はＯＭＳ１１０を介して注文１５９に対する開始時刻パラメータを設定する。但し、開始時刻パラメータの変更は取引体１４０により、ＴＩＦバー３３５もしくは別のウィンドウ、または、注文スライサ制御器用インタフェース１３５の入力を介して実施される。上記方法は次に、ステップ５７０に進む。
【００９２】
ステップ５７０において取引体１４０は、最初にＯＭＳ１１０を介して注文１５９に対する開始終了時刻パラメータを設定する。但し、終了時刻パラメータの変更は取引体１４０により、ＴＩＦバー３３５もしくは別のウィンドウ、または、注文スライサ制御器用インタフェース１３５の入力を介して実施される。上記方法は次に、ステップ５８０に進む。
【００９３】
ステップ５８０において、注文スライサ制御器１３０は目標取引曲線３６０を算出して注文スライサ制御器用インタフェース１３５はそれを表示する。同様に、取引戦略１３１が算出され、または代替的に、注文スライサ制御器１３０は取引体１４０により取引戦略１８４が直接的に入力されている。いずれの場合においても、取引戦略１３１は注文スライサ１２０に伝達され、市場データ１７３を用いた計算値を用いるときに取引戦略１６３として使用される。注文スライサ制御器１３０はまた、予想割合曲線３１０に基づき、所定金融商品が有すべき予測売買出来高も算出すると共に、これを目標取引曲線３６０として示す。
【００９４】
ステップ５８２において注文スライサ１２０は、市場売買高記録器１７２により報告された如き測定済みの市場取引処理総量と、交換可能な取引戦略１８４との関数として、小口注文の売りを開始する。上記方法は次に、ステップ５８４に進む。
【００９５】
ステップ５８４において注文スライサ制御器用インタフェース１３５は、取引体１４０の実際の売買高を実行済み小口注文売買高３６５として表示する。これらは、取引出来高グラフ３２０に示された金融商品の全体的売買出来高と比較され得る。上記方法は次に、ステップ５８６に進む。
【００９６】
ステップ５８６において取引体１４０は、取引戦略１８４を変更もしくは交換し、取引方針１８５を交換し、または、取引パラメータ１４１を変更することを決心し得る。もし取引体１４０が望むなら、方法５００はステップ５６０にループ・バックする。もし取引体１４０がその様には望まないのであれば、方法５００はステップ５８８に進む。
【００９７】
ステップ５８８において方法５００は、取引体１４０が全取引を完了したか否かを決定する。もし取引体１４０が完了していなければ、方法５００はステップ５８６にループ・バックする。但し、もし取引体１４０が完了していれば、方法５００はステップ５９０で停止する。
【００９８】
図６は、注文スライサ１２０および注文スライサ制御器１３０を採用し得るコンピュータ・システム６００のブロック図を示している。コンピュータ・システム６００は、注文スライサ１２０、注文スライサ制御器１３０，注文スライサ制御器用インタフェース１３５、データベース１７０、ＯＭＳ１１０およびネットワーク６３０を含んでいる。注文スライサ１２０は注文スライサ制御器１３０に対して連結される。ネットワーク６３０は、注文スライサ１２０および注文スライサ制御器１３０に対して連結される。ＯＭＳ１１０は、注文スライサ制御器１３０に対して回路結合される。市場データベース１７０もネットワーク６３０に対して連結される。
【００９９】
注文スライサ１２０は、注文スライサ用プロセッサ６６０およびメモリ６７０を含む。メモリ６７０は、ランダム・アクセス・メモリ（ＲＡＭ）、ハードディスク・ドライブおよび読出専用メモリ（ＲＯＭ）の内の任意のものにより構成され得る。メモリ６７０は、プログラム６８０を含んでいる。
【０１００】
プログラム６８０は、注文スライサ用プロセッサ６６０を制御して、図１乃至図５に関して上述された注文スライサ１２０の動作を実行する命令を含んでいる。たとえばプログラム６８０の実行の結果として、注文スライサ用プロセッサ６６０は、個々の小口注文規模に対する量を決定してこれをメモリ６７０に記憶する。小口注文は次に、市場１１９に対して送信される。プログラム６８０は、単一モジュールとして、または、相互に協働して作動する複数のモジュールとして実現され得る。
【０１０１】
プログラム６８０は注文スライサのメモリ６７５内に既に取り込まれたものとして示されるが、それは、後時的なメモリ６７０への取り込みのために記憶媒体６９０上に構成されても良い。記憶媒体６９０は、磁気テープ、光学的記憶媒体、コンパクト・ディスク、または、フロッピー・ディスクの如き習用の任意の記憶媒体とされ得る。代替的に記憶媒体６９０は、ランダム・アクセス・メモリ、または、遠隔記憶システム上に配置された他の形式の電子的記憶装置とされ得る。
【０１０２】
注文スライサ制御器１３０は、注文スライサ制御器用プロセッサ６１０、メモリ６１５およびプログラム６２０を含む。メモリ６１５は、ランダム・アクセス・メモリ（ＲＡＭ）、ハードディスク・ドライブおよび読出専用メモリ（ＲＯＭ）の内の任意のものにより構成され得る。メモリ６１５はプログラム６２０を含む。
【０１０３】
プログラム６２０は、注文スライサ制御器用プロセッサ６１０を制御して、図１乃至図５に関して上述された注文スライサ制御器１３０の動作を実行する命令を含んでいる。たとえばプログラム６２０の実行の結果として、注文スライサ制御器用プロセッサ６１０は、予想割合曲線３１０を決定してこれを注文スライサ制御器用メモリ６１５に記憶する。プログラム６２０は、単一モジュールとして、または、相互に協働して作動する複数のモジュールとして実現され得る。
【０１０４】
プログラム６２０は注文スライサ制御器のメモリ６１５内に既に取り込まれたものとして示されるが、それは、後時的なメモリ６１５への取り込みのために記憶媒体６３５上に構成されても良い。記憶媒体６３５は、磁気テープ、光学的記憶媒体、コンパクト・ディスク、または、フロッピー・ディスクの如き習用の任意の記憶媒体とされ得る。代替的に記憶媒体６３５は、ランダム・アクセス・メモリ、または、遠隔記憶システム上に配置された他の形式の電子的記憶装置とされ得る。
【０１０５】
注文スライサ制御器１３５は他のインタフェースの中でも特に、インタフェース２００、視覚的インタフェース３００および視覚的インディケータ４００をディスプレイ上に提示し得ると共に、斯かる表示のハードコピーをプリンタを介して提供する。
【０１０６】
コンピュータ・システム６００は、Ｓｕｎ（登録商標）マイクロシステムズ系のコンピュータ・システムのいずれか、ＩＢＭ（登録商標）パーソナルコンピュータ系のいずれか、または、任意の習用のワークステーションもしくはグラフィック・コンピュータ・デバイスの如き汎用マイクロコンピュータ上で実現され得る。本明細書においてコンピュータ・システム６００はスタンドアロンシステムとして表されるが、それはその様に限定される代わりに、ネットワーク６３０を介し、（不図示の）他のコンピュータ・システム、または、他の注文スライサ１２０、または、他の注文スライサ制御器１３０に対して連結され得る。注文スライサ１２０は複数の注文スライサ制御器１３０により制御され得ると共に、注文スライサ制御器１３０は複数の注文スライサ１２０を制御またはプログラムし得る。
【産業上の利用可能性】
【０１０７】
当業者によれば、本明細書に記述された教示の種々の代替例、組み合わせおよび改変例が案出され得ることを理解すべきである。本発明は、添付の各請求項の有効範囲内に収まる斯かる代替例、改変例および変更例の全てを包含することが意図される。
【図面の簡単な説明】
【０１０８】
【図１】注文スライサを更新するシステムを示す図である。
【図２】図１のシステムに対するインタフェースのディスプレイを示す図である。
【図３】注文スライサの更新に使用されるデータのグラフである。
【図４】小口注文が表す売買量の百分率であって所定金融商品の総売買出来高に対する百分率を示す視覚的表示器を示す図である。
【図５】取引パラメータを変更すると共に注文スライサ制御器における取引方針および取引戦略を交換または更新する方法を示す図である。
【図６】注文スライサおよび注文スライサ制御器と共に使用されるコンピュータ・システムのフローチャートである。
【符号の説明】
【０１０９】
１００  システム
１０２  市場指示
１１０  注文管理システム(ＯＭＳ)
１１１  チャネル
１１２  ＯＭＳメモリ
１１３  チャネル
１１９  市場
１２０  注文スライサ
１２４  注文スライサ計算器
１２６  メモリ
１３０  注文スライサ制御器
１３１  取引戦略
１３３  取引パラメータ
１３５  注文スライサ制御器用インタフェース
１３６  取引パラメータ
１３７  バス
１４０  取引体
１４１  取引パラメータ
１４５  初期取引パラメータ
１５１  注文番号フィールド
１５２  注文規模フィールド
１５３  買い／売りフィールド
１５４  金融商品名フィールド
１５５  開始時刻フィールド
１５６  終了時刻フィールド
１５７  指し値
１５９  注文
１６３  取引戦略
１７０  市場データベース
１７２  市場売買高記録器
１７３  市場データ
１７４  市場予測器
１７５  市場記録
１７７  市場予測
１８１  ＯＳＣ受信器
１８３  ＯＳＣ送信器
１８４  取引戦略
１８５  取引方針
１８７  リアルタイム取引パラメータ
１８８  変更可能な取引パラメータ
１８９  注文スライサ制御器（ＯＳＣ）計算器
２００  インタフェース
２１０  有効注文画面
２２０  平均日計出来高（ＡＤＶ）ウィンドウ
２３０  実行割合ウィンドウ／実行ウィンドウ
２３２  摺動バー／スライダ
２９９  強制制御ボタン
３００  視覚的インタフェース
３０２  価格表示
３０４  出来高表示
３１０  予想割合曲線
３２０  取引出来高グラフ
３２５  タイミング・バー
３３０  左縁部
３３５  有効時間（ＴＩＦ）バー
３４０  左側部
３５０  右側部
３６０  目標取引曲線／目標百分率取引曲線
３６５  実行済み小口注文売買高
４００  視覚的インディケータ
５００  方法
５１０〜５９０  ステップ
６００  コンピュータ・システム
６１０  注文スライサ制御器用プロセッサ
６１５  メモリ
６２０  プログラム
６３０  ネットワーク
６３５  記憶媒体
６６０  注文スライサ用プロセッサ
６７０  メモリ
６８０  プログラム
６９０  記憶媒体
【図１】
2008523501.tif 000003
【図２】
2008523501.tif 000004
【図３】
2008523501.tif 000005
【図４】
2008523501.tif 000006
【図５】
2008523501.tif 000007
【図６】
2008523501.tif 000008
【国際調査報告】
2008523501.tif 000009